(57)【要約】【課題】経時的に着色し難い新規なアミノ官能性オルガノポリシロキサンを提供すること、また、そのようなアミノ官能性オルガノポリシロキサンを、環状副生成物の発生を回避しつつ、複雑・煩雑な操作を経ることなく、容易に合成可能な製造方法を提供すること。【解決手段】両末端ＳｉＨ基封鎖ポリシロキサンと脂肪族不飽和結合を一分子中に二個有するアミン又はシリルアミンを付加反応させてポリシロキサン−ヒドロカルビレンアミノヒドロカルビレンマルチブロックコポリマーを得る。【選択図】なし【特許請求の範囲】
【請求項１】
下記一般式：
【化１】
2012136587.tif 000017
（式中、
Ａは、それぞれ独立して、脂肪族不飽和結合を有しない一価炭化水素基を表し、
Ｂは、それぞれ独立して、二価炭化水素基を表し、
ｍは１以上１０００以下の数を表す）で示される単位を有するポリシロキサン−ヒドロカルビレンアミノヒドロカルビレンマルチブロックコポリマー。
【請求項２】
前記Ａがメチル基である、請求項１記載のコポリマー。
【請求項３】
前記Ｂがプロピレン基である、請求項１又は２記載のコポリマー。
【請求項４】
前記単位数が２〜１０００である、請求項１乃至３のいずれかに記載のコポリマー。
【請求項５】
請求項１乃至４のいずれかに記載のコポリマーを含む、水性又はエマルジョン組成物。
【請求項６】
請求項１乃至４のいずれかに記載のコポリマーを含む、表面処理剤。
【請求項７】
請求項１乃至４のいずれかに記載のコポリマーを含む、塗料。
【請求項８】
請求項１乃至４のいずれかに記載のコポリマーを含む、化粧料。
【請求項９】
下記一般式：
【化２】
2012136587.tif 000018
（式中、
Ａは、それぞれ独立して、脂肪族不飽和結合を有しない一価炭化水素基を表し、
ｍは１以上１０００以下の数を表す）で示される両末端SiH基封鎖ポリシロキサン、及び、
下記一般式：
【化３】
2012136587.tif 000019
（式中、
Ｃは、それぞれ独立して、脂肪族不飽和結合含有一価炭化水素基を表し、
Ｄは、水素原子又はトリオルガノシリル基を表す）で示される脂肪族不飽和結合を一分子中に二個有するアミン又はシリルアミンを付加反応させ、必要に応じて脱シリル化反応を行う、ポリシロキサン−ヒドロカルビレンアミノヒドロカルビレンマルチブロックコポリマーの製造方法。
【請求項１０】
前記Ａがメチル基である、請求項９記載の製造方法。
【請求項１１】
前記Ｃがアリル基である、請求項９又は１０記載の製造方法。
【請求項１２】
前記ポリシロキサン−ヒドロカルビレンアミノヒドロカルビレンマルチブロックコポリマーが下記一般式：
【化４】
2012136587.tif 000020
（式中、
Ａ及びｍは、上記のとおりであり、
Ｂは、それぞれ独立して、二価炭化水素基を表す）で示される単位を有する、請求項９乃至１１のいずれかに記載の製造方法。
【請求項１３】
前記単位数が２〜１０００である、請求項１２記載の製造方法。
【発明の詳細な説明】
【技術分野】
【０００１】
本発明は、ポリシロキサン−ヒドロカルビレンアミノヒドロカルビレンマルチブロックコポリマー及びその製造方法、並びに、当該コポリマーの用途に関する。
【背景技術】
【０００２】
従来、アミノ官能性オルガノポリシロキサンの製造方法は知られている。例えば、特公昭３６−８５９８号公報には、アミノアルキルメチルポリシロキサンとオクタメチルシクロテトラシロキサンとの平衡重合によって、また、特公昭４０−１１８５号公報には、クロロアルキルメチルポリシロキサンと有機アミンとの脱塩化水素反応によって、また、特公昭４６−２８０９０号公報には、シラノール基末端ジオルガノポリシロキサンとアミノアルキルアルコキシシランとの縮合によって目的とするアミノ官能性オルガノポリシロキサンを得る方法が記載されている。このようにして得られたアミノ官能性オルガノポリシロキサンは、繊維処理剤、化粧料用添加剤、皮革処理剤、塗料添加剤等の用途に広く使用されている。
【先行技術文献】
【特許文献】
【０００３】
【特許文献１】特公昭３６−８５９８号公報
【特許文献２】特公昭４０−１１８５号公報
【特許文献３】特公昭４６−２８０９０号公報
【発明の概要】
【発明が解決しようとする課題】
【０００４】
しかしながら、平衡重合による製造方法はアミノ基含有率を高くすると環−鎖平衡により多量の環状物が副生し、また、一般に第１級アミノ基がオルガノポリシロキサンに結合しているため、経時的に又は加熱により着色しやすいという問題があった。
【０００５】
一方、クロロアルキルメチルポリシロキサンと有機アミンとの脱塩化水素反応によれば、第２級アミンと反応させることで、経時的に又は加熱により着色し難い第２級アミノ変性ポリシロキサンを合成できるものの、有機アミンを過剰に使用して副生する塩化水素を捕捉するため、有機アミンの塩酸塩が多量に副生し、分離・精製に煩雑な操作を必要するという問題点があった。
【０００６】
シラノール基末端ジオルガノポリシロキサンとアミノアルキルアルコキシシランとの縮合でアミノ官能性オルガノポリシロキサンを得る方法は、第２級アミノアルキルアルコキシシランを使用することにより、第２級アミノ変性ポリシロキサンを得ることができるが、やはりアミノ基含有率の高いポリシロキサンを合成しようとするときには、非常に低分子量のシラノール基末端ジオルガノポリシロキサンを使用しなければならないため、縮合反応時の環化反応を無視することができず、アミノ官能性環状ポリシロキサンが副生するという問題があった。
【０００７】
本発明の目的は、経時的又は加熱により着色し難い新規なアミノ官能性オルガノポリシロキサンを提供することにある。
【０００８】
また、本発明の他の目的は、環状副生成物の発生を回避でき、また、複雑・煩雑な操作を経ることなく、経時的に又は加熱により着色することの少ない新規なアミノ官能性オルガノポリシロキサンを容易に合成することのできる製造方法を提供することにある。
【課題を解決するための手段】
【０００９】
本発明の目的は、下記一般式：
【化１】
2012136587.tif 000002
（式中、
Ａは、それぞれ独立して、脂肪族不飽和結合を有しない一価炭化水素基を表し、
Ｂは、それぞれ独立して、二価炭化水素基を表し、
ｍは１以上１０００以下の数を表す）で示される単位を有するポリシロキサン−ヒドロカルビレンアミノヒドロカルビレンマルチブロックコポリマーによって達成される。
【００１０】
前記Ａはメチル基であることが好ましい。また、前記Ｂはプロピレン基であることが好ましい。そして、前記単位数は２〜１０００であることができる。
【００１１】
本発明のコポリマーは、水性又はエマルジョン組成物に好適に配合することができる。
【００１２】
本発明のコポリマーは、表面処理剤、塗料又は化粧料に特に好適に配合することができる。
【００１３】
本発明の他の目的は、下記一般式：
【化２】
2012136587.tif 000003
（式中、
Ａは、それぞれ独立して、脂肪族不飽和結合を有しない一価炭化水素基を表し、
ｍは１以上１０００以下の数を表す）で示される両末端SiH基封鎖ポリシロキサン、及び、
下記一般式：
【化３】
2012136587.tif 000004
（式中、
Ｃは、それぞれ独立して、脂肪族不飽和結合含有一価炭化水素基を表し、
Ｄは、水素原子又はトリオルガノシリル基を表す）で示される脂肪族不飽和結合を一分子中に二個有するアミン又はシリルアミンを付加反応させ、必要に応じて脱シリル化反応を行う、ポリシロキサン−ヒドロカルビレンアミノヒドロカルビレンマルチブロックコポリマーの製造方法によって達成することができる。
【００１４】
前記Ａはメチル基であることが好ましい。また、前記Ｂはプロピレン基であることが好ましい。
【００１５】
前記ポリシロキサン−ヒドロカルビレンアミノヒドロカルビレンマルチブロックコポリマーは、下記一般式：
【化４】
2012136587.tif 000005
（式中、
Ａ及びｍは、上記のとおりであり、
Ｂは、それぞれ独立して、二価炭化水素基を表す）で示される単位を有することが好ましく、当該単位数は２〜１０００であることが好ましい。
【発明の効果】
【００１６】
本発明のポリシロキサン−ヒドロカルビレンアミノヒドロカルビレンマルチブロックコポリマーは、新規なアミノ官能性オルガノポリシロキサンであり、分子主鎖中の第２級アミノ基の存在により、経時的に又は加熱により着色する傾向が低い。したがって、本発明のコポリマーは、繊維、織布、不織布、皮革、粉体等の表面処理剤、並びに、塗料又は化粧料の成分として好適である。また、本発明のコポリマーは水との親和性が高く、安定な水性組成物を形成することができる。そして、本発明のコポリマーは水性相と油性相を備えるエマルジョンの乳化状態を安定化できる。したがって、本発明のコポリマーは水性又はエマルジョン組成物の成分として好適である。
【００１７】
本発明のポリシロキサン−ヒドロカルビレンアミノヒドロカルビレンマルチブロックコポリマーは、分子主鎖中の第２級アミノ基の存在により、他の有機官能性シリコーン−有機マルチブロックコポリマーの前駆体として使用することもできる。
【００１８】
本発明のポリシロキサン−ヒドロカルビレンアミノヒドロカルビレンマルチブロックコポリマーの製造方法は、環状ポリシロキサン等の環状副生成物の発生を回避することができ、また、複雑・煩雑な操作を経ることなく、容易に、経時的又は加熱により着色し難い新規なアミノ官能性オルガノポリシロキサンを得ることができる。
【図面の簡単な説明】
【００１９】
【図１】実施例１で製造されたポリシロキサン−ヒドロカルビレンアミノヒドロカルビレンマルチブロックコポリマーの２９Si-NMRチャートを示す。
【図２】実施例１で製造されたポリシロキサン−ヒドロカルビレンアミノヒドロカルビレンマルチブロックコポリマーの13C-NMRチャートを示す。
【図３】実施例１で製造されたポリシロキサン−ヒドロカルビレンアミノヒドロカルビレンマルチブロックコポリマーのIRチャートを示す。
【発明を実施するための形態】
【００２０】
本発明のポリシロキサン−ヒドロカルビレンアミノヒドロカルビレンマルチブロックコポリマーは第２級アミノ基を分子主鎖中に有するコポリマーである。
【００２１】
本発明のポリシロキサン−ヒドロカルビレンアミノヒドロカルビレンマルチブロックコポリマーは下記一般式：
【化５】
2012136587.tif 000006
（式中、
Ａは、それぞれ独立して、脂肪族不飽和結合を有しない一価炭化水素基を表し、
Ｂは、それぞれ独立して、二価炭化水素基を表し、
ｍは１以上１０００以下の数を表す）で示される単位を少なくとも１つ有する。
【００２２】
脂肪族不飽和結合を有しない一価炭化水素基としては、例えば、置換又は非置換の、及び、直鎖状、環状又は分岐状の一価炭化水素基が挙げられる。具体的には、メチル基，エチル基，プロピル基，ブチル基，ペンチル基，ヘキシル基，ヘプチル基，オクチル基，デシル基，ドデシル基等の飽和脂肪族炭化水素基；シクロペンチル基，シクロヘキシル基等の飽和脂環式炭化水素基；フェニル基、トリル基、キシリル基、ナフチル基等の芳香族炭化水素基、及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基が例示される。
【００２３】
脂肪族不飽和結合を有しない一価炭化水素基の炭素数は特に限定されるものではないが、１〜３０が好ましく、１〜２０がより好ましく、１〜１０が更により好ましい。Ａとしては、メチル基、エチル基又はフェニル基が好ましく、メチル基が特に好ましい。
【００２４】
二価炭化水素基としては、例えば、置換又は非置換の、及び、直鎖状又は分岐状の二価炭化水素基が挙げられる。具体的には、メチレン基、ジメチレン基、トリメチレン基、テトラメチレン基、ペンタメチレン基、ヘキサメチレン基、ヘプタメチレン基、オクタメチレン基等の直鎖状若しくは分岐鎖状のアルキレン基；ビニレン基、アリレン基、ブテニレン基、ヘキセニレン基、オクテニレン基等のアルケニレン基；フェニレン基、ジフェニレン基等のアリーレン基；ジメチレンフェニレン基等のアルキレンアリーレン基；及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基が例示される。
【００２５】
二価炭化水素基の炭素数は特に限定されるものではないが、１〜３０が好ましく、１〜２０がより好ましく、１〜１０が更により好ましい。Ｂとしては、直鎖状若しくは分岐鎖状のアルキレン基が好ましく、プロピレン基が特に好ましい。
【００２６】
ｍは、１〜５００が好ましく、１〜３００がより好ましく、１〜２００が更により好ましい。なお、ｍが１０００を超えると、分子中の第２級アミノ基の含有率が低下し、第２級アミノ基の効果を十分に発揮できなくなるおそれがある。
【００２７】
本発明のポリシロキサン−ヒドロカルビレンアミノヒドロカルビレンマルチブロックコポリマーは、上記化学式で表される単位を２〜１０００有することができる。前記単位数は２〜５００が好ましく、２〜３００がより好ましく、２〜１００が更により好ましい。
【００２８】
本発明のポリシロキサン−ヒドロカルビレンアミノヒドロカルビレンマルチブロックコポリマーの分子量は特に限定されるものではないが、例えば、１００〜１０００００の数平均分子量を有することができる。前記数平均分子量は１００〜５００００が好ましく、１００〜１００００がより好ましく、１００〜５０００が更により好ましい。
【００２９】
本発明のポリシロキサン−ヒドロカルビレンアミノヒドロカルビレンマルチブロックコポリマーの分散度（重量平均分子量／数平均分子量）は特に限定されるものではないが、例えば、１〜２．５の分散度を有することができる。前記分散度は１〜２．０が好ましく、１〜１．９がより好ましく、１〜１．８が更により好ましい。
【００３０】
本発明のポリシロキサン−ヒドロカルビレンアミノヒドロカルビレンマルチブロックコポリマー中のアミノ基は酸によって中和されて塩の形態とされてもよい。酸の種類は特に限定されるものではないが、例えば、塩酸、硫酸、リン酸等の無機酸、或いは、蟻酸、酢酸、プロピオン酸等のカルボン酸、又は、ラウリン酸、ステアリン酸等の脂肪酸といった有機酸を使用することができる。
【００３１】
本発明のポリシロキサン−ヒドロカルビレンアミノヒドロカルビレンマルチブロックコポリマーは、分子主鎖中に第２級アミノ基が存在しているため、分子側鎖中又は分子鎖末端に第２級又は第１級アミノ基が存在する場合に比べて、経時的に着色し難い。
【００３２】
また、本発明のポリシロキサン−ヒドロカルビレンアミノヒドロカルビレンマルチブロックコポリマーは、当該コポリマー中の第２級アミノ基の水素原子を他の有機基に置換することによって、様々な有機官能性シリコーン−有機マルチブロックコポリマーに変換されることができる。したがって、本発明のコポリマーは他の有機官能性シリコーン−有機マルチブロックコポリマーの前駆体として好適である。
【００３３】
本発明のポリシロキサン−ヒドロカルビレンアミノヒドロカルビレンマルチブロックコポリマーの製造方法は両末端ＳｉＨ（ケイ素原子結合水素原子）基封鎖ポリシロキサンと脂肪族不飽和結合を一分子中に二個有するアミン又はシリルアミンを付加反応させることを特徴とする。
【００３４】
本発明のポリシロキサン−ヒドロカルビレンアミノヒドロカルビレンマルチブロックコポリマーの製造方法では、下記一般式：
【化６】
2012136587.tif 000007
（式中、
Ａは、それぞれ独立して、脂肪族不飽和結合を有しない一価炭化水素基を表し、
ｍは１以上１０００以下の数を表す）で示される両末端ＳｉＨ基封鎖ポリシロキサン、及び、
下記一般式：
【化７】
2012136587.tif 000008
（式中、
Ｃは、それぞれ独立して、脂肪族不飽和結合含有一価炭化水素基を表し、
Ｄは、水素原子又はトリオルガノシリル基を表す）で示される脂肪族不飽和結合を一分子中に二個有するアミン又はシリルアミンを付加反応させ、必要に応じて脱シリル化反応を行う。
【００３５】
前記脂肪族不飽和結合を有しない一価炭化水素基は上記のとおりである。前記Ａとしては、メチル基が好ましい。
【００３６】
前記脂肪族不飽和結合含有一価炭化水素基としては、例えば、置換又は非置換の、及び、直鎖状又は分岐状の、少なくとも１つの脂肪族不飽和結合を有する一価炭化水素基が挙げられる。具体的には、ビニル基、アリル基、ブテニル基、ヘキセニル基、オクテニル基等の炭素原子数２〜１０のアルケニル基；ビニルフェニル基等のアルケニルアリール基等が挙げられる。
【００３７】
前記脂肪族不飽和結合含有一価炭化水素基の炭素数は特に限定されるものではないが、２〜３０が好ましく、２〜２０がより好ましく、２〜１０が更により好ましい。Ｃとしては、直鎖状若しくは分岐鎖状のアルケニル基が好ましく、アリル基が特に好ましい。
【００３８】
前記トリオルガノシリル基としては通常有機反応で保護基として使用されるシリル基を使用することができる。具体的にはトリメチルシリル基、トリエチルシリル基、フェニルジメチルシリル基、t-ブチルジメチルシリル基等が例示される。
【００３９】
前記付加反応は通常のヒドロシリル化反応条件で実施することができる。付加反応を促進させるためヒドロシリル化触媒を使用することが好ましい。使用する触媒は特に制限は無いが、ニッケル、ルテニウム、ロジウム、パラジウム、イリジウム、白金等の第ＶＩＩＩ族遷移金属或いはそれらの化合物を好適に使用することができる。このような化合物の具体的な例としては、第ＶＩＩＩ族遷移金属のクロロ錯体、オレフィン錯体、アルデヒド錯体、ケトン錯体、ホスフィン錯体、スルフィド錯体、ニトリル錯体等を挙げることができる。これらのうち、白金黒、塩化白金酸、或いは、白金のオレフィン錯体、アルデヒド錯体、ケトン錯体等の白金系触媒が好ましく、白金のオレフィン錯体が特に好ましい。
【００４０】
前記付加反応は無溶媒で行うことができるが、溶媒存在下でも行うことができる。使用できる溶媒としては、ベンゼン，トルエン，キシレン等の芳香族炭化水素；ヘキサン，ヘプタン，シクロヘキサン等の脂肪族炭化水素；テトラヒドロフラン，ジエチルエーテル等のエーテル類；アセトン，メチルエチルケトン等のケトン類；酢酸エチル，酢酸ブチル等のエステル類が例示される。
【００４１】
Ｄがトリオルガノシリル基の場合、付加反応終了後に加水分解、加アルコール分解等の適切な方法で脱シリル化反応を行い、シリルアミノ基を第２級アミノ基に変換する必要がある。
【００４２】
脂肪族不飽和結合とＳｉＨ基の当量比［脂肪族不飽和結合］／[ＳｉＨ]には特に制限はない。しかしながら、生成物の末端に脂肪族不飽和結合を残したい場合には［脂肪族不飽和結合］／[ＳｉＨ]比を１より大きくする必要があり、生成物の末端にＳｉＨ基を残したい場合には［脂肪族不飽和結合］／[ＳｉＨ]比を１より小さくする必要がある。またこの比が１に近いほど高分子量の生成物が得られ、１から離れるほど低分子量の生成物が得られるので、この比を制御することにより生成物の分子量を制御することができる。
【００４３】
反応方法としては両末端ＳｉＨ基封鎖ポリシロキサンとヒドロシリル化触媒との混合物を加熱し、脂肪族不飽和結合を一分子中に二個有するアミン又はシリルアミンを徐々に滴下していく方法が好ましい。一方、脂肪族不飽和結合を一分子中に二個有するアミン又はシリルアミンとヒドロシリル化触媒を最初に混合しておいて加熱し、両末端ＳｉＨ基封鎖ポリシロキサンを滴下していく場合は、アミノ基が白金に配位して触媒が失活し易くなるため好ましくない。また、両末端ＳｉＨ基封鎖ポリシロキサンと脂肪族不飽和結合を一分子中に二個有するアミン又はシリルアミンを混合し、加熱してからヒドロシリル化触媒を添加する場合は、反応が一気に起こるため、反応の暴走に十分注意する必要がある。
【００４４】
本発明では、このようにしてヒドロシリル化反応に基づく付加反応を行うが、反応の進行は赤外吸光分析、核磁気共鳴分析等により確認することができる。反応の完結を確認した後、溶媒等の低沸点物を加熱減圧留去することにより目的のポリシロキサン−ヒドロカルビレンアミノヒドロカルビレンマルチブロックコポリマーを得ることができる。
【００４５】
両末端ＳｉＨ基封鎖ポリシロキサンのケイ素原子結合水素原子と脂肪族不飽和結合を一分子中に二個有するアミン又はシリルアミンの脂肪族不飽和との付加反応では、不飽和結合への水素原子の付加態様により、α付加物とβ付加物の両者が生成する。β付加物とα付加物の割合は核磁気共鳴分析により測定することができる。脂肪族不飽和結合を一分子中に二個有するアミンとして、ジアリルアミンを使用した場合、通常のヒドロシリル化条件ではβ付加とα付加の割合はほぼ7:3である。したがって、付加反応によるプロピレンアミノプロピレン体：プロピレンアミノメチルエチレン体：メチルエチレンアミノメチルエチレン体の生成比はほぼ49：42：9になる。
【００４６】
本発明の製造方法では、既述したポリシロキサン−ヒドロカルビレンアミノヒドロカルビレンマルチブロックコポリマーを得ることができる。本発明の製造方法では、副生成物としての環状物の生成がない。したがって、環状副生成物を生成することなく、ポリシロキサン−ヒドロカルビレンアミノヒドロカルビレンマルチブロックコポリマーを容易に得ることができる。
【００４７】
ところで、本発明のコポリマーは水との親和性が高いので、水中に溶解又は分散させることによって安定な水性組成物を形成することができる。このような水性組成物は、例えば、通常の攪拌機を用いて水中に本発明のコポリマーを溶解又は分散させることによって調製することができる。
【００４８】
また、本発明のコポリマーは水性相と油性相を備えるエマルジョンの乳化状態を安定化できる。特に、本発明のコポリマーを酸で中和して得られる塩は従来のアミノ変性ポリシロキサンの塩より乳化安定性に優れる。このようなエマルジョンは、水性相及び油性相の各成分、並びに、本発明のコポリマー、更には、必要に応じて他の乳化剤をホモミキサー、ホモジナイザー、コロイドミル、コンビミキサー、インライン式連続乳化機、真空乳化機、超音波乳化機、連続混合装置等の乳化機を用いて乳化分散することによって調製することができる。
【００４９】
したがって、本発明のコポリマーは水性又はエマルジョン組成物の成分として好適である。
【００５０】
また、本発明のコポリマーは経時的又は加熱により着色し難いので、繊維、織布、不織布、皮革、粉体等の表面処理剤、そして、塗料又は化粧料の成分として使用することができる。
【００５１】
本発明の表面処理剤は、本発明のポリシロキサン−ヒドロカルビレンアミノヒドロカルビレンマルチブロックコポリマーを含むものである。前記コポリマーの配合量は特に限定されるものではないが、例えば、表面処理剤全体の０．１〜９９．９質量％、好ましくは１〜９０質量％、の範囲とすることができる。
【００５２】
本発明の表面処理剤には、通常、表面処理剤に配合されている添加剤を本発明の効果が損なわれない程度に配合することができる。例えば、繊維、織布、不織布、皮革用の表面処理剤の場合は、各種形状（例えばオイル、樹脂、ガム、ゴム等）のシリコーン化合物（例えばジメチルポリシロキサン、ジメチルメチルフェニルポリシロキサン、アミノ変性ジメチルポリシロキサン、エポキシ変性ジメチルポリシロキサン、ポリエーテル変性ジメチルポリシロキサン、ポリカプロラクトン変性ジメチルポリシロキサン、α−オレフィン変性ジメチルポリシロキサン、ポリシロキサン−ポリオキシアルキレンブロック共重合体等）、シラン化合物、架橋剤、防腐剤、塩類、界面活性剤（アルキルベンゼンスルホン酸塩、ポリオキシアルキレンアルキル硫酸エステル、アルキル硫酸エステル、アルカンスルホン酸塩、アルキルエトキシカルボン酸塩、コハク酸誘導体、アルキルアミンオキサイド、イミダゾリン型化合物、ポリオキシエチレンアルキルまたはアルケニルエーテル、ポリオキシエチレンアルキルフェニルエーテル、高級脂肪酸アルカノールアミドまたはそのアルキレンオキサイド付加物等）等を適量配合することができる。
【００５３】
本発明の表面処理剤が適用できる繊維素材としては、材質的には天然繊維（例えば木綿、麻、羊毛、絹、木材パルプ、皮革等）、再生繊維（例えばレーヨン、アセテート、キュプラ、スフ等）、有機合成繊維（例えばポリエステル、ポリアミド、ビニロン、ポリアクリロニトリル、ポリエチレン、ポリプロピレン、ポリエステルエーテル、ビニロン、ポリ塩化ビニリデン、ポリ塩化ビニル、スパンデックス等）、無機合成繊維（例えばガラス繊維、炭素繊維、シリコンカーバイド繊維等）等が挙げられる。また、形状的にはステーブル、フィラメント、トウ、糸、織物、編物、不織布、樹脂加工布帛、紙、合成皮革等が挙げられる。 
【００５４】
本発明の表面処理剤を浸漬、スプレー等によりこれらの繊維素材に付着させ、次いで乾燥させ過剰の水等を繊維素材から除去し、更に、必要に応じて加熱することにより目的の処理効果が得られる。乾燥工程と加熱工程は同時に行ってもよい。加熱工程は８０乃至２２５℃で３０秒乃至２０分間、好ましくは１００乃至１８０℃で１乃至１０分間行えばよい。この範囲で高温・長時間加熱すれば、より柔軟性付与効果および効果の耐久性がより向上し好ましい。しかしながら、加熱工程のためにコストが上昇したり、繊維素材が着色する等の欠点もあるので、その条件は処理装置、繊維の使用用途等に応じて適宜設定すればよい。
【００５５】
本発明の表面処理剤が粉体に適用される場合は、粉体の形状（球状、棒状、針状、板状、不定形状、紡錘状等）、粒子径（煙霧状、微粒子、顔料級等）、及び、粒子構造（多孔質、無孔質等）は何ら限定されるものではないが、粉体の平均一次粒子径は１ｎｍ〜１００μｍの範囲にあることが好ましい。
【００５６】
粉体としては、例えば、無機粉体、有機粉体、界面活性剤金属塩粉体（金属石鹸）、有色顔料、パール顔料、金属粉末顔料等が挙げられ、更に、これらを複合化したものも使用することができる。具体的には、無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸ナトリウム、ケイ酸ナトリウムマグネシウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン等；有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、ポリテトラフルオロエチレンパウダー、ポリメチルメタクリレートパウダー、セルロース、シルクパウダー、ナイロンパウダー、１２ナイロン、６ナイロン、シリコーンパウダー、ポリメチルシルセスキオキサン球状粉体、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体 としては、ステアリン酸亜鉛、ステアリン酸アルミニウム、ステアリン酸カルシウム、ステアリン酸マグネシウム、ミリスチン酸亜鉛、ミリスチン酸マグネシウム、パルミチン酸亜鉛、ラウリン酸亜鉛、セチルリン酸亜鉛、セチルリン酸カルシウム、セチルリン酸亜鉛ナトリウム等；有色顔料としては、ベンガラ、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等のタール系色素をレーキ化したもの、カルミン酸、ラッカイン酸、カルサミン、ブラジリン、クロシン等の天然色素をレーキ化したもの等；パール顔料としては、酸化チタン被覆雲母、雲母チタン、酸化鉄処理雲母チタン、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウム、金、銀、銅、白金、ステンレス等の金属粉末が挙げられる。
【００５７】
更に、これらの粉体は、その一部又は全部が撥水化処理、親水化処理等の表面処理を施されていることが特に好ましい。なお、これらの粉体同士を複合化してもよい。また、一般油剤、前記糖アルコール変性オルガノポリシロキサン以外のシリコーン化合物、フッ素化合物、界面活性剤、増粘剤等で表面処理が施されたものも使用することができ、必要に応じて１種又は２種以上を用いることができる。
【００５８】
撥水化処理は、特に限定されるものではないが、前記粉体を各種の撥水化表面処理剤で処理することが挙げられ、例えばメチルハイドロジェンポリシロキサン処理、シリコーンレジン処理、シリコーンガム処理、アクリルシリコーン処理、フッ素化シリコーン処理等のオルガノシロキサン処理；ステアリン酸亜鉛処理等の金属石鹸処理；シランカップリング剤処理、アルキルシラン処理等のシラン処理；パーフルオロアルキルシラン、パーフルオロアルキルリン酸エステル塩、パーフルオロポリエーテル処理等のフッ素化合物処理；Ｎ-ラウロイル-Ｌ-リジン処理等のアミノ酸処理；スクワラン処理等の油剤処理；アクリル酸アルキル処理等のアクリル処理等が挙げられ、これらの２種以上を組み合わせて使用することも可能である。
【００５９】
粉体としてシリコーンエラストマー粉体を使用することもできる。シリコーンエラストマー粉体は、主としてジオルガノシロキシ単位（Ｄ単位）からなる直鎖状ジオルガノポリシロキサンの架橋物であり、側鎖若しくは末端に珪素結合水素原子を有するオルガノハイドロジェンポリシロキサンと側鎖若しくは末端にアルケニル基等の不飽和炭化水素基を有するジオルガノポリシロキサンを、ヒドロシリル化反応触媒下で架橋反応させることによって好適に得ることができる。シリコーンエラストマー粉体は、Ｔ単位及びＱ単位からなるシリコーン樹脂粉体に比して、柔らかく、弾力があり、また、吸油性に優れるため、肌上の油脂を吸収し、化粧崩れを防ぐことができる。そして、前記糖アルコール変性オルガノポリシロキサンにより表面処理を行うと、シリコーンエラストマー粉体のスエード調の感触を減じることなく、しっとりした感触を付与することができる。更に、シリコーンエラストマー粉体と共に前記糖アルコール変性オルガノポリシロキサンを化粧料に配合する場合は、化粧料全体における当該粉体の分散安定性が改善され、経時的に安定な化粧料を得ることができる。
【００６０】
シリコーンエラストマー粉体は、球状、扁平状、不定形状等種々の形状を取りうる。シリコーンエラストマー粉体は油分散体の形態であってもよい。本発明の化粧料には、粒子形状を有するシリコーンエラストマー粉体であり、電子顕微鏡を用いた観察による一次粒子径及び／又はレーザー回析／散乱法で測定された平均一次粒子径が０．１〜５０μｍの範囲に入り、且つ、一次粒子の形状が球状のシリコーンエラストマー粉体を好適に配合することができる。シリコーンエラストマー粉体を構成するシリコーンエラストマーは、ＪＩＳ Ｋ  ６２５３「加硫ゴム及び熱可塑性ゴムの硬さ試験方法」のタイプＡデュロメータによる硬さが８０以下のものが好ましく、６５以下のものがより好ましい。
【００６１】
シリコーンエラストマー粉体はシリコーンレジン、シリカ等による表面処理が任意に施されていていてもよい。前記表面処理としては、例えば、特開平２−２４３６１２号公報、特開平８−１２５４５号公報、特開平８−１２５４６号公報、特開平８−１２５２４号公報、特開平９−２４１５１１号公報、特開平１０−３６２１９号公報、特開平１１−１９３３３１号公報、特開２０００−２８１５２３号公報等に記載されているものが挙げられる。なお、シリコーンエラストマー粉体としては、「化粧料種別配合成分規格」収載の架橋型シリコーン末が該当する。シリコーンエラストマー粉体の市販品としては、例えば東レ・ダウコーニング社製のトレフィルＥ−５０６Ｓ、トレフィルＥ−５０８、９７０１  Ｃｏｓｍｅｔｉｃ  Ｐｏｗｄｅｒ、９７０２  Ｐｏｗｄｅｒ等が挙げられる。これらのシリコーンエラストマー粉体は表面処理がされていてもよく、表面処理剤の例としては、メチルハイドロジェンポリシロキサン、シリコーンレジン、金属石鹸、シランカップリング剤、シリカ、酸化チタン等の無機酸化物、パーフルオロアルキルシラン、パーフルオロアルキルリン酸エステル塩等のフッ素化合物が挙げられる。
【００６２】
本発明の表面処理剤が粉体に適用される場合は、当該表面処理剤を粉体と直接混合してもよいし、表面処理剤を予め有機溶媒に溶解しておき、この有機溶媒を粉体と混合した後、有機溶媒を乾燥除去してもよい。有機溶媒としては、ヘキサン、オクタン、デカン、シクロヘキサン等の脂肪族炭化水素；ベンゼン、トルエン、キシレン等の芳香族炭化水素；ジエチルエーテル、ジブチルエーテルテトラヒドロフラン，ジオキサン等のエーテル類；アセトン、メチルエチルケトン、メチルイソブチルケトン、ジイソブチルケトン等のケトン類；酢酸メチル、酢酸エチル、酢酸ブチル、酢酸イソブチル等のエステル類；メタノール、エタノール、イソプロパノール、ブタノール等のアルコール類が例示される。乾燥温度は、室温〜１８０℃の範囲が好ましい。
【００６３】
本発明の表面処理剤による粉体の処理比率は、粉体１００重量部に対して表面処理剤が０．１〜３０重量部となる比率が好ましく、０．１〜１５重量部となる比率がより好ましい。
【００６４】
本発明の塗料は、本発明のポリシロキサン−ヒドロカルビレンアミノヒドロカルビレンマルチブロックコポリマーを含むものである。前記コポリマーの配合量は特に限定されるものではないが、例えば、塗料全体の０．１〜３０質量％、好ましくは１〜２０質量％、の範囲とすることができる。
【００６５】
本発明の塗料には、通常の塗料に配合されている添加剤を、本発明の効果が損なわれない程度に配合することができる。例えば、水；メタノール、エタノール、イソプロパノール、ｔ−ブタノール、エチレングリコール、１−メトキシ−２−エタノール等のアルコール類；アセトン、メチルエチルケトン、メチルイソブチルケトン、シクロヘキサノン等のケトン類；ジエチルエーテル、ジブチルエーテル、テトラヒドロフラン、ジオキサン等のエーテル類；酢酸エチル、酢酸イソブチル等のエステル類；トルエン、キシレン等の芳香族類；ｎ−ヘキサン、シクロヘキサン等の炭化水素類、Ｎ、Ｎ−ジメチルホルムアミド、アセトニトリル等の窒素化合物；ジメチルスルホキシド等の硫黄化合物；トリクロロフロロメタン、ジクロロジフロロメタン、ジクロロテトラフロロエタン等のフッ素化炭化水素、塩素化フッ化炭化水素類等の溶媒が挙げられる。この他に、プロパン、ｎ−ブタン、イソブタン等の低級炭化水素類（ＬＰＧ）、二酸化炭素等の液化ガス等；各種形状（例えばオイル，樹脂，ガム，ゴム，粉末等）のシリコーン化合物（例えばジメチルポリシロキサン，ジメチルメチルフェニルポリシロキサン，ジメチルジフェニルポリシロキサン，アミノ変性ジメチルポリシロキサン，エポキシ変性ジメチルポリシロキサン，ポリエーテル変性ジメチルポリシロキサン，ポリカプロラクトン変性ジメチルポリシロキサン，α−オレフィン変性ジメチルポリシロキサン、カルボキシル変性ジメチルポリシロキサン等）；界面活性剤（例えばアルキルベンゼンスルホン酸塩，ポリオキシアルキレンアルキル硫酸エステル，アルキル硫酸エステル，アルカンスルホン酸塩，アルキルエトキシカルボン酸塩，コハク酸誘導体，アルキルアミンオキサイド，イミダゾリン型化合物，ポリオキシエチレンアルキルまたはアルケニルエーテル，ポリオキシエチレンアルキルフェニルエーテル，高級脂肪酸アルカノールアミドまたはそのアルキレンオキサイド付加物等）；他の高分子化合物（例えばヒドロキシエチルセルロース，ヒドロキシプロピルセルロース，ヒドロキシプロピルメチルセルロース，メチルセルロース，カチオン化セルロース，カチオン化高分子，ポリ（２−アクリルアミド−２−メチルプロパンスルホン酸ナトリウム，特開平５−３１０５３８号公報に開示されたカチオン性樹脂及びアクリル樹脂、ポリアミド、ポリエステル、ポリイミド、ポリスチレン、フェノール樹脂、アルキッド樹脂等）、酸化防止剤、紫外線吸収剤、染料、顔料、色素、防腐剤、固着剤等が挙げられる。本発明の塗料は、各種基材の表面に下塗塗料を介して、又は介さずに、塗布し、（硬化）皮膜を形成させることが可能であり、離型性、耐久性、非転写性、耐汚れ性等に優れた、塗膜を形成させることができる。塗装方法は限定されず定法を用いることができる。例えば刷毛やバーコーダー又はスプレーにより塗布する事ができる。また、本発明の塗料は、貯蔵安定性に特に優れたものである。特に、プリント基板原稿の表面保護フィルムの表面に塗布した場合、フォトレジストやソルダーレジストの付着を防止する好適な離型層を得ることができる。その場合、作業効率上、スプレーにより塗布することが好ましい。
【００６６】
本発明の化粧料は、本発明のポリシロキサン−ヒドロカルビレンアミノヒドロカルビレンマルチブロックコポリマーを含むものである。前記コポリマーの配合量は特に限定されるものではないが、例えば、化粧料全体の１〜９９質量％、好ましくは１０〜９０質量％、の範囲とすることができる。
【００６７】
本発明の化粧料に配合される他の成分としては、油剤、親水性媒体、保湿剤、シリコーン類、紫外線遮蔽剤、水溶性高分子、水膨潤性粘土鉱物、防腐剤、抗菌剤、生理活性成分、ｐＨ調整剤、有機溶媒、酸化防止剤、キレート化剤、香料、色素等が挙げられる。
【００６８】
油剤は、疎水性であれば、起源を問わず、固形、半固形、液体のいずれでもよく、不揮発性、半揮発性、揮発性のいずれでよい。具体的には、シリコーンオイル、炭化水素油及びワックス、動植物油、高級アルコール、エステル油等が挙げられる。シリコーンオイル類がさっぱりとした使用感を付与できるので好ましい。油剤は１種類であってもよく、或いは、２種類以上を混合して使用してもよい。化粧料中の油剤の配合量は、化粧料の全質量の１〜５０質量％が好ましい。
【００６９】
シリコーンオイルの分子構造は、環状、直鎖状、分岐状のいずれであってもよい。２５℃における粘度は、通常、０．６５〜１００，０００ｍｍ２／ｓの範囲であり、０．６５〜１０，０００ｍｍ２／ｓの範囲が好ましい。具体的には、環状シリコーンオイルとしては、ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）、１，１−ジエチルヘキサメチルシクロテトラシロキサン、フェニルヘプタメチルシクロテトラシロキサン、１、１−ジフェニルヘキサメチルシクロテトラシロキサン、１，３，５，７−テトラビニルテトラメチルシクロテトラシロキサン、１，３，５，７−テトラメチルシクロテトラシロキサン、１，３，５，７−テトラシクロヘキシルテトラメチルシクロテトラシロキサン、トリス（３，３，３−トリフルオロプロピル）トリメチルシクロトリシロキサン、１，３，５，７−テトラ（３−アミノプロピル）テトラメチルシクロテトラシロキサン、１，３，５，７−テトラ（Ｎ−（２−アミノエチル）３−アミノプロピル）テトラメチルシクロテトラシロキサン、１，３，５，７−テトラ（３−メルカプトプロピル）テトラメチルシクロテトラシロキサン、１，３，５，７−テトラ（３−グリシドキシプロピル）テトラメチルシクロテトラシロキサン、１，３，５，７−テトラ（３−メタクリロキシプロピル）テトラメチルシクロテトラシロキサン、１，３，５，７−テトラ（３−アクリロキシプロピル）テトラメチルシクロテトラシロキサン、１，３，５，７−テトラ（３−カルボキシプロピル）テトラメチルシクロテトラシロキサン、１，３，５，７−テトラ（３−ビニロキシプロピル）テトラメチルシクロテトラシロキサン、１，３，５，７−テトラ（ｐ−ビニルフェニル）テトラメチルシクロテトラシロキサン、１，３，５，７−テトラ[３−（ｐ−ビニルフェニル）プロピル]テトラメチルシクロテトラシロキサン、１，３，５，７−テトラ[３−（ｐ−イソプロペニルベンゾイルアミノ）プロピル]テトラメチルシクロテトラシロキサン、１，３，５，７−テトラ（Ｎ−メタクリロイル−Ｎ−メチル−３−アミノプロピル）テトラメチルシクロテトラシロキサン、１，３，５，７−テトラ（Ｎ−ラウロイル−Ｎ−メチル−３−アミノプロピル）テトラメチルシクロテトラシロキサン、１，３，５，７−テトラ（Ｎ−アクリロイル−Ｎ−メチル−３−アミノプロピル）テトラメチルシクロテトラシロキサン、１，３，５，７−テトラ（Ｎ，Ｎ−ビス（メタクリロイル）−３−アミノプロピル）テトラメチルシクロテトラシロキサン、１，３，５，７−テトラ（Ｎ，Ｎ−ビス（ラウロイル）−３−アミノプロピル）テトラメチルシクロテトラシロキサン等が挙げられる。直鎖状シリコーンオイルとしては、分子鎖両末端トリメチルシロキシ基封鎖ジメチルポリシロキサン、分子鎖両末端トリメチルシロキシ基封鎖メチルフェニルポリシロキサン、分子鎖両末端トリメチルシロキシ基封鎖ジメチルシロキサン・メチルフェニルシロキサン共重合体、分子鎖両末端トリメチルシロキシ基封鎖ジメチルシロキサン・メチル(３,３,３−トリフルオロプロピル)シロキサン共重合体、��，ω−ジヒドロキシポリジメチルシロキサン、α，ω−ジメトキシポリジメチルシロキサン、テトラメチル−１，３−ジヒドロキシジシロキサン、オクタメチル−１，７−ジヒドロキシテトラシロキサン、ヘキサメチル−１，５−ジエトキシトリシロキサン、ヘキサメチルジシロキサン、オクタメチルトリシロキサン等が挙げられる。分岐状シリコーンオイルとしては、メチルトリストリメチルシロキシシラン、エチルトリストリメチルシロキシシラン、プロピルトリストリメチルシロキシシラン、テトラキストリメチルシロキシシラン、フェニルトリストリメチルシロキシシランが挙げられる。これらの中でも、揮発性のものが好ましい。これら２種類以上を併用してもよい。
【００７０】
炭化水素油及びワックスとしては、オゾケライト、スクワラン、スクワレン、セレシン、パラフィン、パラフィンワックス、流動パラフィン、プリスタン、ポリイソブチレン、ポリブテン、マイクロクリスタリンワックス、ワセリン等が挙げられる。これら２種類以上を併用してもよい。
【００７１】
動植物油としては、アボガド油、アマニ油、アーモンド油、イボタロウ、エノ油、オリーブ油、カカオ脂、カポックロウ、カヤ油、カルナウバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ラウリン酸ヘキシル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。これら２種類以上を併用してもよい。
【００７２】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。これら２種類以上を併用してもよい。
【００７３】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、イソノナン酸イソノニル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸−２−エチルヘキシル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等；グリセライド油としては、アセトグリセリル、トリイソオクタン酸グリセリル、トリイソステアリン酸グリセリル、トリイソパルミチン酸グリセリル、トリ(カプリル・カプリン酸)グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。これら２種類以上を併用してもよい。
【００７４】
親水性媒体としては、エタノール、ｎ−プロパノール、イソプロパノール、ｎ−ブタノール等の１価低級アルコール；１，３−ブチレングリコール、エチレングリコール、プロピレングリコール等の２価アルコール；ポリエチレングリコール、ジプロピレングリコール、ポリプロピレングリコール等のポリアルキレングリコール；グリセリン、ジグリセリン、トリメチロールプロパン、ペンタエリスリトール、ソルビトール等の多価アルコールが挙げられる。これら２種類以上を併用してもよい。化粧料における親水性媒体の配合量は、化粧料の全質量の１〜８０質量％が好ましい。
【００７５】
保湿剤としては、グルコース、キシリトール、マルチトール、ヒアルロン酸、コンドロイチン硫酸、ピロリドンカルボン酸塩、ポリオキシエチレンメチルグルコシド、ポリオキシプロピレンメチルグルコシド等が挙げられる。これら２種類以上を併用してもよい。なお、親水性媒体である１，３−ブチレングリコール、エチレングリコール、ポリエチレングリコール、プロピレングリコール、ジプロピレングリコール、ポリプロピレングリコール、グリセリン、ジグリセリン、トリメチロールプロパン、ペンタエリスリトール、ソルビトール等も化粧料の保湿感の向上に寄与する場合がある。化粧料における保湿剤の配合量は、化粧料の全質量の０．１〜３０質量％が好ましい。
【００７６】
シリコーン類としては、例えば、ガム状シリコーン、シリコーン樹脂及びシリコーンエラストマー粉末が挙げられる。これら２種類以上を併用してもよい。
【００７７】
ガム状シリコーンは、超高重合度の直鎖状ジオルガノポリシロキサンであり、シリコーン生ゴム又はオルガノポリシロキサンガムと称されている。代表例として、（ＣＨ３）３ＳｉＯ｛（ＣＨ３）２ＳｉＯ｝ｆ｛（ＣＨ３）Ｒ７ＳｉＯ｝ｇＳｉ（ＣＨ３）３（式中、Ｒ７はビニル基、フェニル基、炭素数が６〜２０のアルキル基、炭素数３〜１５のアミノアルキル基、炭素数３〜１５のパーフロロアルキル基、炭素数３〜１５の４級アンモニウム塩基含有アルキル基から選択され、ｆ=３０００〜６０００、ｇ=０〜１０００、ｆ＋ｇ=３０００〜６０００）で表されるものがある。これら２種類以上を併用してもよい。
【００７８】
シリコーン樹脂は、高度の分岐状構造、網状構造又は籠状構造を有するオルガノポリシロキサンであり、常温で液状又は固形状である。固形状のシリコーン樹脂には、例えば、トリオルガノシロキシ単位（Ｍ単位）（オルガノ基はメチル基のみ、メチル基とビニル基若しくはフェニル基である）、ジオルガノシロキシ単位（Ｄ単位）（オルガノ基はメチル基のみ、メチル基とビニル基若しくはフェニル基である）、モノオルガノシロキシ単位（Ｔ単位）（オルガノ基はメチル基、ビニル基、又はフェニル基である）及びシロキシ単位（Ｑ単位）の任意の組み合わせからなるＭＱ樹脂、ＭＤＱ樹脂、ＭＴＱ樹脂、ＭＤＴＱ樹脂、ＴＤ樹脂、ＴＱ樹脂、ＴＤＱ樹脂がある。更には、トリメチルシロキシケイ酸、ポリアルキルシロキシケイ酸、ジメチルシロキシ単位含有トリメチルシロキシケイ酸、アルキル（パーフルオロアルキル）シロキシケイ酸等が挙げられる。これらのシリコーン樹脂は油溶性であることが好ましく、オクタメチルテトラシロキサン（Ｄ４）やデカメチルシクロペンタシロキサン（Ｄ５）に溶解しうるものが特に好ましい。これら２種類以上を併用してもよい。
【００７９】
ガム状シリコーン及びシリコーン樹脂は、単独で化粧料に配合しても構わないが、揮発性又は不揮発性シリコーンオイル、或いは、揮発性又は不揮発性炭化水素油へ溶解させて配合することもできる。ガム状シリコーン及びシリコーン樹脂の配合量は、化粧料の総量の０．１〜２０質量％が好ましく、１〜１０質量％がより好ましい。皮膚への密着性のより高い化粧料を得るためには、化粧料１００重量部当たりガム状シリコーン又はシリコーン樹脂５０〜５００重量部が好ましい。
【００８０】
シリコーンエラストマー粉末は、主として直鎖状ジオルガノポリシロキサンの架橋物であり、球状、扁平状、不定形状等種々の形状をとりうる。粒子形状を有するシリコーンエラストマーであり、電子顕微鏡を用いた観察による一次粒子径及び／又はレーザー回析・散乱法で測定された平均一次粒子径が０．１〜５０μｍの範囲に入り、かつ一次粒子の形状が球状のシリコーンエラストマー粉末が好ましい。シリコーンエラストマー粉末を構成するシリコーンエラストマーは、ＪＩＳ Ｋ ６２５３「加硫ゴム及び熱可塑性ゴムの硬さ試験方法」のタイプＡデュロメータによる硬さが８０以下が好ましく、６５以下がより好ましい。２種類以上のシリコーンエラストマー粉末を併用してもよい。
【００８１】
シリコーンエラストマー粉末は、例えば、２つ以上のアルケニル基を含有するジオルガノポリシロキサンと２つ以上のケイ素原子結合水素原子を有するアルキルハイドロジェンポリシロキサンと塩化白金酸からなる組成物を、乳化状態又は噴霧状態で硬化させることにより製造することができる。アルケニル基含有ジオルガノポリシロキサンとしては、例えば、両末端ジメチルビニルシロキシ基封鎖ジメチルポリシロキサンが挙げられるが、α，ω−アルケニルジエン、グリセリントリアリルエーテル、ポリオキシアルキニル化グリセリントリアリルエーテル、トリメチロールプロパントリアリルエーテル、ポリオキシアルキニル化トリメチロールプロパントリアリルエーテル等のように、分子中に二つ以上のビニル基やアリル基を有する有機化合物でもよい。
【００８２】
シリコーンエラストマー粉末は、例えば、特開平２−２４３６１２号公報、特開平８−１２５４５号公報、特開平８−１２５４６号公報、特開平８−１２５２４号公報、特開平９−２４１５１１号公報、特開平１０−３６２１９号公報、特開平１１−１９３３３１号公報、特開２０００−２８１５２３号公報等に記載されているものが挙げられる。市販品として東レ・ダウコーニング株式会社製トレフィルＥシリーズのトレフィルＥ−５０５、Ｅ−５０６、Ｅ−５０７、Ｅ−５０８等があり、「化粧料種別配合成分規格」収載の架橋型シリコーン末が該当する。これらのシリコーンエラストマー粉末は表面処理がされていてもよく、表面処理剤の例としては、メチルハイドロジェンポリシロキサン、シリコーンレジン、金属石鹸、シランカップリング剤、シリカ、酸化チタン等の無機酸化物、パーフルオロアルキルシラン、パーフルオロアルキルリン酸エステル塩等のフッ素化合物が挙げられる。
【００８３】
シリコーンエラストマー粉末は、油性成分との混練物であるペースト状物や、水系分散体の形で化粧料に配合することが好ましい。より詳しくは、例えば、シリコーンエラストマー粉末と、エステル油、炭化水素油、高級アルコール及び動植物油からなる群から選ばれる常温で液体の油剤とを混練して作られたペースト状物；シリコーンエラストマー粉末を機械力で乳化剤含有水中に分散したものが挙げられる。
【００８４】
シリコーンエラストマー粉末は粒子径が１０μｍを超えるものも多く、水性組成物に安定に配合することが難しかったが、本発明のアミノ酸変性オルガノポリシロキサンエマルジョンと併用することにより安定に配合することができる。化粧料におけるオルガノポリシロキサンエラストマー粉体の配合量は、化粧料の全質量の０．１〜３０質量％が好ましい。
【００８５】
シリコーン類として、シリコーン変性有機重合体を配合してもよい。シリコーン変性有機重合体としては、例えば、ポリジメチルシロキサングラフト型アクリル系共重合体、特開２０００−０６３２２５に開示されているカルボキシシロキサンデンドリマーグラフト型アクリル系共重合体、及び特開２００３−２２６６１１に開示されているカルボキシシロキサンデンドリマー構造及びフッ化有機基を有するアクリル系共重合体が挙げられる。これら２種類以上を併用してもよい。
【００８６】
紫外線遮蔽剤は、無機系と有機系のＵＶスクリーン剤のいずれであってもよい。無機系のＵＶスクリーン剤は、典型的には無機系粉体であり、例えば、酸化チタン、酸化亜鉛、酸化セリウム、低次酸化チタン、鉄ドーピング酸化チタン等の金属酸化物、水酸化鉄等の金属水酸化物、板状酸化鉄、アルミニウムフレーク等の金属フレーク類、炭化珪素等のセラミック類が挙げられる。このうち、平均粒子径が１〜１００ｎｍの範囲にある微粒子金属酸化物若しくは微粒子金属水酸化物から選ばれる少なくとも一種であることが特に好ましい。これら２種類以上を併用してもよい。これらの粉体は、従来公知の表面処理、例えばフッ素化合物処理（パーフルオロアルキルリン酸エステル処理やパーフルオロアルキルシラン処理、パーフルオロポリエーテル処理、フルオロシリコーン処理、フッ素化シリコーン樹脂処理が好ましい）、シリコーン処理（メチルハイドロジェンポリシロキサン処理、ジメチルポリシロキサン処理、気相法テトラメチルテトラハイドロジェンシクロテトラシロキサン処理が好ましい）、シリコーン樹脂処理（トリメチルシロキシケイ酸処理が好ましい）、ペンダント処理（気相法シリコーン処理後にアルキル鎖等を付加する方法）、シランカップリング剤処理、チタンカップリング剤処理、シラン処理（アルキルシランやアルキルシラザン処理が好ましい）、油剤処理、Ｎ−アシル化リジン処理、ポリアクリル酸処理、金属石鹸処理（ステアリン酸やミリスチン酸塩が好ましい）、アクリル樹脂処理、金属酸化物処理等がされていることが好ましく、これらの処理の複数で処理されていることが好ましい。例えば、微粒子酸化チタン表面を酸化ケイ素やアルミナ等の金属酸化物で被覆した後、アルキルシランで表面処理すること等が挙げられる。表面処理量は、粉体に対して総計で０．１〜５０質量％の範囲にあることが好ましい。
【００８７】
有機系のＵＶスクリーン剤としては、例えば、サリチル酸ホモメンチル、サリチル酸オクチル、サリチル酸トリエタノールアミン等のサリチル酸系；パラアミノ安息香酸、エチルジヒドロキシプロピルパラアミノ安息香酸、グリセリルパラアミノ安息香酸、オクチルジメチルパラアミノ安息香酸、パラジメチルアミノ安息香酸アミル、パラジメチルアミノ安息香酸２−エチルへキシル等のＰＡＢＡ系；４-(２-β-グルコピラノシロキシ)プロポキシ-２-ヒドロキシベンゾフェノン、ジヒドロキシジメトキシベンゾフェノン、ジヒドロキシジメトキシベンゾフェノンジスルホン酸ナトリウム、２−ヒドロキシ−４−メトキシベンゾフェノン、ヒドロキシメトキシベンゾフェノンスルホン酸及びその三水塩、ヒドロキシメトキシベンゾフェノンスルホン酸ナトリウム、２−ヒドロキシ−４−メトキシベンゾフェノン−５−硫酸、２，２’−ジヒドロキシ−４−メトキシベンゾフェノン、２，４−ジヒドロキシベンゾフェノン、２，２’４，４’−テトラヒドロキシベンゾフェノン、２、２’−ジヒドロキシ−４，４’−ジメトキシベンゾフェノン、２−ヒドロキシ−４−Ｎ−オクトキシベンゾフェノン等のベンゾフェノン系；パラメトキシケイ皮酸２−エチルヘキシル（別名；パラメトキシケイ皮酸オクチル）、ジパラメトキシケイ皮酸モノ-２-エチルヘキサン酸グリセリル、２，５−ジイソプロピルケイ皮酸メチル、２，４，６−トリス［４−（２−エチルへキシルオキシカルボニル）アニリノ］−１，３，５−トリアジン、トリメトキシケイ皮酸メチルビス（トリメチルシロキシ）シリルイソペンチル、パラメトキシケイ皮酸イソプロピル・ジイソプロピルケイ皮酸エステル混合物、ｐ−メトキシハイドロケイ皮酸ジエタノールアミン塩等のケイ皮酸系；２−フェニル−ベンズイミダゾール−５−硫酸、４−イソプロピルジベンゾイルメタン、４−ｔｅｒｔ−ブチル−４’−メトキシジベンゾイルメタン等のベンゾイルメタン系；2―シアノ―3，3―ジフェニルプロパ―2―エン酸2―エチルヘキシルエステル(別名；オクトクリレン)、ジメトキシベンジリデンジオキソイミダゾリジンプロピオン酸２−エチルへキシル、１−（３，４−ジメトキシフェニル）−４，４−ジメチル−１，３−ペンタンジオン、シノキサート、メチル−Ｏ−アミノベンゾエート、２−エチルヘキシル−２−シアノ−３，３−ジフェニルアクリレート、３−（４−メチルベンジリデン）カンフル、オクチルトリアゾン、４−（３，４−ジメトキシフェニルメチレン）−２，５−ジオキソ−１−イミダゾリジンプロピオン酸２−エチルヘキシル、これらの高分子誘導体、及びシラン誘導体が挙げられる。これら２種類以上を併用してもよい。
【００８８】
有機系のＵＶスクリーン剤をポリマー粉末中に分散させたものを使用してもよい。ポリマー粉末は中空又は中実であり、平均一次粒子径は好ましくは０．１〜５０μｍの範囲であり、粒度分布はブロード又はシャープである。ポリマーの種類としてはアクリル樹脂、メタクリル樹脂、スチレン樹脂、ポリウレタン樹脂、ポリエチレン、ポリプロピレン、ポリエチレンテレフタレート、シリコーン樹脂、ナイロン、アクリルアミド樹脂等が挙げられる。有機系ＵＶスクリーン剤を０．１〜３０質量％の範囲で含有するポリマー粉末が好ましく、特にＵＶ−Ａ吸収剤である４−ｔｅｒｔ−ブチル−４’−メトキシジベンゾイルメタンを含有するポリマー粉末が好ましい。
【００８９】
紫外線遮蔽剤としては、微粒子酸化チタン、微粒子酸化亜鉛、パラメトキシケイ皮酸２−エチルヘキシル、４−ｔｅｒｔ−ブチル−４’−メトキシジベンゾイルメタン、ベンゾフェノン系紫外線吸収剤からなる群より選ばれる少なくとも１種が、汎用されており、入手が容易で、かつ紫外線防御効果が高いため好適に使用することができる。特に、無機系と有機系のＵＶスクリーン剤を併用することが好ましく、ＵＶ−Ａに対応したＵＶスクリーン剤とＵＶ−Ｂに対応したＵＶスクリーン剤を併用することが更に好ましい。化粧料における紫外線遮蔽剤の配合量は、無機系及び／又は有機系ＵＶスクリーン剤の合計で、化粧料の０．１〜６０質量％の範囲にあることが好ましく、３〜４０質量％がより好ましい。更に、無機系のＵＶスクリーン剤の配合量は化粧料の０．１〜３０質量％の範囲が好ましく、有機系ＵＶスクリーン剤は、化粧料の０．１〜２０質量％の範囲が好ましい。
【００９０】
水溶性高分子としては、両性、カチオン性、アニオン性又は非イオン性の水溶性高分子が挙げられる。これら２種類以上を併用してもよい。
【００９１】
両性水溶性高分子としては、例えば、両性化デンプン、塩化ジメチルジアリルアンモニウム誘導体（例えば、アクリルアミド・アクリル酸・塩化ジメチルジアリルアンモニウム共重合体、アクリル酸・塩化ジメチルジアリルアンモニウム共重合体）、メタクリル酸誘導体（例えば、ポリメタクリロイルエチルジメチルベタイン、Ｎ−メタクリロイルオキシエチルＮ，Ｎ−ジメチルアンモニウム−α−メチルカルボキシベタイン・メタクリル酸アルキル共重合体等）が挙げられる。これら２種類以上を併用してもよい。
【００９２】
カチオン性水溶性高分子としては、例えば、第４級窒素変性ポリサッカライド（例えば、カチオン変性セルロース、カチオン変性ヒドロキシエチルセルロース、カチオン変性グアーガム、カチオン変性ローカストビーンガム、カチオン変性デンプン等）、塩化ジメチルジアリルアンモニウム誘導体（例えば、塩化ジメチルジアリルアンモニウム・アクリルアミド共重合体、ポリ塩化ジメチルメチレンピペリジニウム等）、ビニルピロリドン誘導体（例えば、ビニルピロリドン・ジメチルアミノエチルメタクリル酸共重合体塩、ビニルピロリドン・メタクリルアミドプロピルトリメチルアンモニウムクロライド共重合体、ビニルピロリドン・塩化メチルビニルイミダゾリウム共重合体等）、メタクリル酸誘導体（例えば、メタクリロイルエチルジメチルベタイン・塩化メタクリロイルエチルトリメチルアンモニウム・メタクリル酸２−ヒドロキシエチル共重合体、メタクリロイルエチルジメチルベタイン・塩化メタクリロイルエチルトリメチルアンモニウム・メタクリル酸メトキシポリエチレングリコール共重合体等）が挙げられる。これら２種類以上を併用してもよい。
【００９３】
アニオン性水溶性高分子としては、例えば、ポリアクリル酸又はそのアルカリ金属塩、ポリメタアクリル酸又はそのアルカリ金属塩、ヒアルロン酸又はそのアルカリ金属塩、アセチル化ヒアルロン酸又はそのアルカリ金属塩、メチルビニルエーテル・無水マレイン酸共重合体の加水分解物等の脂肪族カルボン酸又はその金属塩の水溶性重合体、カルボキシメチルセルロース又はそのアルカリ金属塩、メチルビニルエーテル−マレイン酸ハーフエステル共重合体、アクリル樹脂アルカノールアミン液、カルボキシビニルポリマーが挙げられる。これら２種類以上を併用してもよい。
【００９４】
非イオン性水溶性高分子としては、例えば、ポリビニルピロリドン、高重合ポリエチレングリコール、ビニルピロリドン／酢酸ビニル共重合体、ビニルピロリドン／ジメチルアミノエチルメタクリレート共重合体、ビニルカプロラクタム／ビニルピロリドン／ジメチルアミノエチルメタクリレート共重合体、セルロース又はその誘導体（例えば、メチルセルロース、エチルセルロース、ヒドロキシエチルセルロース、ヒドロキシプロピルセルロース、カルボキシメチルセルロース）、ケラチン及びコラーゲン又はその誘導体、アルギン酸カルシウム、プルラン、寒天、ゼラチン、タマリンド種子多糖類、キサンタンガム、カラギーナン、ハイメトキシルペクチン、ローメトキシルペクチン、グァーガム、ペクチン、アラビアゴム、結晶セルロース、アラビノガラクタン、カラヤガム、トラガカントガム、アルギン酸、アルブミン、カゼイン、カードラン、ジュランガム、デキストラン、クインスシードガム、トラガントガム、キチン・キトサン誘導体、デンプン（コメ、トウモロコシ、バレイショ、コムギ等）、ケラチン及びコラーゲン又はその誘導体等の天然の高分子化合物が挙げられる。これら２種類以上を併用してもよい。
【００９５】
水溶性高分子は、水に溶解又は分散させて均一な水溶液又は分散液にしてから、他の化粧料原料と混合することが好ましい。化粧料における水溶性高分子の配合量は、化粧料の０．００１〜５質量％の範囲にあることが好ましく、０．０１〜３質量％がより好ましい。０．００１質量％未満の配合量の場合には十分な増粘効果が望めず、５質量％を超えて配合すると化粧料の粘度が高くなりすぎ、使用感が劣ることになりかねない。
【００９６】
水膨潤性粘土鉱物は、三層構造を有するコロイド含有ケイ酸アルミニウムの一種であり、例えば、式：（Ｘ，Ｙ）２−３（Ｓｉ，Ａｌ）４Ｏ１０（ＯＨ）２Ｚ１／３・ｎＨ２Ｏ （式中、Ｘは、Ａｌ、Ｆｅ（ＩＩＩ）、Ｍｎ（ＩＩＩ）又はＣｒ（ＩＩＩ）であり、Ｙ は、Ｍｇ、Ｆｅ（ＩＩ）、Ｎｉ、Ｚｎ又はＬｉであり、Ｚは、Ｋ、Ｎａ又はＣａである）で表されるものが挙げられる。このような水膨潤性粘土鉱物として、具体的には、ベントナイト、モンモリロナイト、パイデライト、ノントロナイト、サポナイト、ヘクトライト、ケイ酸アルミニウムマグネシウムが例示され、これらは天然物及び合成物のいずれであってもよい。これら２種類以上を併用してもよい。
【００９７】
水膨潤性粘土鉱物は、水に溶解又は分散させて均一な水溶液又は分散液にしてから、他の化粧料原料と混合することが好ましい。化粧料における水膨潤性粘土鉱物の配合量は、化粧料の０．００１〜５質量％の範囲にあることが好ましく、０．０１〜３質量％がより好ましい。０．００１質量％未満の配合量の場合には十分な増粘効果が望めず、５質量％を超えて配合すると化粧料の粘度が高くなりすぎ、使用感が劣ることになりかねない。
【００９８】
防腐剤としては、パラオキシ安息香酸アルキルエステル、安息香酸、安息香酸ナトリウム、ソルビン酸、ソルビン酸カリウム、フェノキシエタノールが挙げられる。これら２種類以上を併用してもよい。化粧料におけるシリコーン類の配合量は、化粧料の全質量の０．１〜５質量％が好ましい。
【００９９】
抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、トリクロサン、感光素、フェノキシエタノール、メチルイソチアゾリノン等が挙げられる。これら２種類以上を併用してもよい。化粧料におけるシリコーン類の配合量は、化粧料の全質量の０．１〜５質量％が好ましい。
【０１００】
生理活性成分としては、例えば、抗炎症剤、老化防止剤、ひきしめ剤、発毛剤、育毛剤、血行促進剤、乾燥剤、冷感剤、温感剤、ビタミン類、アミノ酸、創傷治癒促進剤、刺激緩和剤、鎮痛剤、細胞賦活剤、酵素成分が挙げられる。その中でも、天然系の植物抽出成分、海藻抽出成分、生薬成分からなるものが特に好ましい。化粧料には、これらの生理活性成分を１種又は２種以上配合することが好ましい。化粧料における生理活性成分の配合量は、化粧料の全質量の０．１〜１０質量％が好ましい。
【０１０１】
具体的には、例えばアシタバエキス、アボガドエキス、アマチャエキス、アルテアエキス、アルニカエキス、アロエエキス、アンズエキス、アンズ核エキス、イチョウエキス、ウイキョウエキス、ウコンエキス、ウーロン茶エキス、エイジツエキス、エチナシ葉エキス、オウゴンエキス、オウバクエキス、オウレンエキス、オオムギエキス、オトギリソウエキス、オドリコソウエキス、オランダカラシエキス、オレンジエキス、海水乾燥物、海藻エキス、加水分解エラスチン、加水分解コムギ末、加水分解シルク、カモミラエキス、カロットエキス、カワラヨモギエキス、甘草エキス、カルカデエキス、カキョクエキス、キウイエキス、キナエキス、キューカンバーエキス、グアノシン、クチナシエキス、クマザサエキス、クララエキス、クルミエキス、グレープフルーツエキス、クレマティスエキス、クロレラエキス、クワエキス、ゲンチアナエキス、紅茶エキス、酵母エキス、ゴボウエキス、コメヌカ発酵エキス、コメ胚芽油、コンフリーエキス、コラーゲン、コケモモエキス、サイシンエキス、サイコエキス、サイタイ抽出液、ザクロエキス、サルビアエキス、サボンソウエキス、ササエキス、サンザシエキス、サンショウエキス、シイタケエキス、ジオウエキス、シコンエキス、シソエキス、シナノキエキス、シモツケソウエキス、シャクヤクエキス、ショウブ根エキス、シラカバエキス、スギナエキス、セイヨウキズタエキス、セイヨウサンザシエキス、セイヨウニワトコエキス、セイヨウノコギリソウエキス、セイヨウハッカエキス、セージエキス、ゼニアオイエキス、センキュウエキス、センブリエキス、ダイズエキス、タイソウエキス、タイムエキス、茶エキス、チョウジエキス、チガヤエキス、チンピエキス、トウキエキス、トウキンセンカエキス、トウニンエキス、トウヒエキス、ドクダミエキス、トマトエキス、納豆エキス、ニンジンエキス、ニンニクエキス、ノバラエキス、ハイビスカスエキス、バクモンドウエキス、ハスエキス、パセリエキス、蜂蜜、ハマメリスエキス、パリエタリアエキス、ヒキオコシエキス、ビサボロール、ビワエキス、フキタンポポエキス、フキノトウエキス、ブクリョウエキス、ブッチャーブルームエキス、ブドウエキス、プロポリス、ヘチマエキス、ベニバナエキス、ペパーミントエキス、ボダイジュエキス、ボタンエキス、ホップエキス、マツエキス、マロニエエキス、ミズバショウエキス、ムクロジエキス、メリッサエキス、モモエキス、ヤグルマギクエキス、ユーカリエキス、ユキノシタエキス、ユズエキス、ヨクイニンエキス、ヨモギエキス、ラベンダーエキス、リンゴエキス、レタスエキス、レモンエキス、レンゲソウエキス、ローズエキス、ローズマリーエキス、ローマカミツレエキス、ローヤルゼリーエキス等を挙げることができる。
【０１０２】
また、デオキシリボ核酸、ムコ多糖類、ヒアルロン酸ナトリウム、コンドロイチン硫酸ナトリウム、コラーゲン、エラスチン、キチン、キトサン、加水分解卵殻膜等の生体高分子；グリシン、ヴァリン、ロイシン、イソロイシン、セリン、トレオニン、フェニルアラニン、アルギニン、リジン、アスパラギン酸、グルタミン酸、シスチン、システイン、メチオニン、トリプトファン等のアミノ酸；エストラジオール、エテニルエストラジオール等のホルモン；スフィンゴ脂質、セラミド、コレステロール、コレステロール誘導体、リン脂質等の油性成分；ε−アミノカプロン酸、グリチルリチン酸、β−グリチルレチン酸、塩化リゾチーム、グアイアズレン、ヒドロコルチゾン、アラントイン、トラネキサム酸、アズレン等の抗炎症剤；ビタミンＡ，Ｂ２，Ｂ６，Ｃ，Ｄ，Ｅ，パントテン酸カルシウム、ビオチン、ニコチン酸アミド、ビタミンＣエステル等のビタミン類；アラントイン、ジイソプロピルアミンジクロロアセテート、４−アミノメチルシクロヘキサンカルボン酸等の活性成分；α−ヒドロキシ酸、β−ヒドロキシ酸等の細胞賦活剤；γ−オリザノール、ビタミンＥ誘導体等の血行促進剤；レチノール、レチノール誘導体等の創傷治癒剤；セファランチン、カンゾウ抽出物、トウガラシチンキ、ヒノキチオール、ヨウ化ニンニクエキス、塩酸ピリドキシン、ｄｌ−α−トコフェロール、酢酸ｄｌ−α−トコフェロール、ニコチン酸、ニコチン酸誘導体、パントテン酸カルシウム、Ｄ−パントテニルアルコール、アセチルパントテニルエチルエーテル、ビオチン、アラントイン、イソプロピルメチルフェノール、エストラジオール、エチニルエステラジオール、塩化カプロニウム、塩化ベンザルコニウム、塩酸ジフェンヒドラミン、タカナール、カンフル、サリチル酸、ノニル酸バニリルアミド、ノナン酸バニリルアミド、ピロクトンオラミン、ペンタデカン酸グリセリル、ｌ−メントール、カンフル等の清涼剤；モノニトログアヤコール、レゾルシン、γ−アミノ酪酸、塩化ベンゼトニウム、塩酸メキシレチン、オーキシン、女性ホルモン、カンタリスチンキ、シクロスポリン、ジンクピリチオン、ヒドロコルチゾン、ミノキシジル、モノステアリン酸ポリオキシエチレンソルビタン、ハッカ油、ササニシキエキス等の育毛剤等が挙げられる。
【０１０３】
ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等が挙げられる。これら２種類以上を併用してもよい。化粧料におけるｐＨ調整剤の配合量は、化粧料の全質量の０．１〜５質量％が好ましい。
【０１０４】
有機溶媒としては、例えば、エーテル類があり、更に、プロペラントとしてＬＰＧ、Ｎ−メチルピロリドン、次世代フロンが挙げられる。これら２種類以上を併用してもよい。化粧料における有機溶媒の配合量は、化粧料の全質量の０．１〜５０質量％が好ましい。
【０１０５】
酸化防止剤（抗酸化剤）としては、例えば、トコフェロール、ブチルヒドロキシアニソール、ジブチルヒドロキシトルエン、フィチン酸、カロチノイド、フラボノイド、タンニン、リグナン、サポニンが挙げられる。これら２種類以上を併用してもよい。化粧料における酸化防止剤の配合量は、化粧料の全質量の０．１〜５質量％が好ましい。
【０１０６】
キレート化剤としては、例えば、ＥＤＴＡ、アラニン、エデト酸ナトリウム塩、ポリリン酸ナトリウム、メタリン酸ナトリウム、リン酸が挙げられる。これら２種類以上を併用してもよい。化粧料におけるキレート化剤の配合量は、化粧料の全質量の０．１〜５質量％が好ましい。
【０１０７】
香料としては、例えば、生理活性成分として例示した各種の抽出物を含め、様々な植物の花、種子、葉、根等から抽出した香料、海藻類から抽出した香料、動物の各部位又は分泌物から抽出した香料（例、じゃこう、マッコウ）、人工的に合成した香料（例、メントール、ムスク、酢酸エステル、バニラ）が挙げられる。これら２種類以上を併用してもよい。化粧料における香料の配合量は、化粧料の全質量の０．１〜５質量％が好ましい。
【０１０８】
色素としては、例えば、染料、顔料、蛍光増白剤があり、染料には水溶性染料、油溶性染料、天然系染料、合成染料等があり、顔料には体質顔料、無機顔料、有機顔料等がある。これら２種類以上を併用してもよい。化粧料における色素の配合量は、化粧料の全質量の０．１〜５質量％が好ましい。
【０１０９】
本発明の化粧料の形態及び性状は特に限定されるものではないが、水中油型エマルジョン形態の化粧料、特にレーザー回折・散乱法を用いて測定した平均粒子径が１０．０μｍ未満、０．５μｍ（５００ｎｍ）未満、特には０．２μｍ（２００ｎｍ）未満の分散相を連続水相中に有する水中油型エマルジョン化粧料であることが好ましい。平均粒子径が０．５μｍ未満の水中油型エマルジョン化粧料は半透明から白濁の外観を呈し、経時安定性に特に優れるという利点を有する。
【０１１０】
水中油型エマルジョンの形態の化粧料は、パドル翼付攪拌機、プロペラ攪拌器、ヘンシェル型攪拌機、ＴＫホモミクサー（特殊機化工業（株））、ＴＫホモディスパー（特殊機化工業（株））等の公知の攪拌装置、混合装置或いは乳化装置を用いて、本発明のポリシロキサン−ヒドロカルビレンアミノヒドロカルビレンマルチブロックコポリマー及び上記の化粧料一般に使用される化粧料原料を所望量の水と混合することにより得ることができる。混合にあたっては既述したような高圧乳化装置やコロイドミル、コロイドミキサーのような高せん断力による乳化装置は必ずしも必要ではないが、小粒径乃至微細な粒径の安定な水中油型エマルジョンを得ることができるのでそのような装置を使用することが好ましい。
【０１１１】
水中油型エマルジョンの形態の化粧料を製造するには、例えば、まず、分散相を構成する成分を均一に混合して予備混合物を調製する。次に、水及び水相を構成する成分を５００〜５０００ｒｐｍ程度の回転速度で攪拌しつつ、前記予備混合物及び本発明のコポリマーを任意の順で徐々に添加し、添加後、更に撹拌する。予備混合物に対する水の質量比は任意であるが、０．０５／０．９５〜０．５０／０．５０であることが、得られる水中油型エマルジョン化粧料の経時安定性の点から有利である。なお、化粧料の製造量が少ない場合には、例えば、任意の容器中で水及び水相を構成する成分をへら等を用いて人力で攪拌しながら、前記予備混合物及び本発明のポリシロキサン−ヒドロカルビレンアミノヒドロカルビレンマルチブロックコポリマーを徐々に添加してもよい。
【０１１２】
水中油型エマルジョンの形態の本発明の化粧料は、その経時安定性及び使用感に優れるものである。
【０１１３】
上記の化粧料の用途は特に限定されず、皮膚洗浄剤、スキンケア化粧料、メイクアップ化粧料、制汗剤、紫外線防御剤等の皮膚用化粧料；毛髪洗浄剤、整髪料、毛髪着色料、養毛料、ヘアリンス等の毛髪用化粧料；浴用化粧料；香水、オーデコロン等であってよい。本発明のポリシロキサン−ヒドロカルビレンアミノヒドロカルビレンマルチブロックコポリマーを含む化粧料は皮膚用化粧料又は毛髪用化粧料であることが特に好ましい。
【０１１４】
前記皮膚用化粧料は、頭皮、顔面（口唇、眉目、頬を含む）、手指、爪、全身のいずれの部位用でもよい。具体的には、クレンジングジェル、クレンジングクリーム、クレンジングフォーム、クレンジングミルク、クレンジングローション、洗顔クリーム、アイメークアップリムーバー、洗顔フォーム、液体全身用石鹸、ハンドソープ、ゲル状石鹸、固形石鹸、フェイシャルリンス、ボディリンス、シェービングクリーム、除光液、アクネ対策化粧料等の皮膚洗浄剤；肌用クリーム、頭皮用トリートメント、スキンミルク、ミルクローション、乳液、化粧水、保湿液、美容液、フェイシャルパック、ボディパウダー、エッセンス、シェービングローション等のスキンケア化粧料；ファンデーション、メークアップベース、白粉、フェースパウダー、リップスティック、リップクリーム、練紅、リップグロス、アイシャドウ、アイライナー、アイクリーム、眉墨、アイブロー、マスカラ、頬紅、頬化粧料（チークカラー、チークルージュ）、マニキュア、ペディキュア、ネイルカラー、ネイルラッカー、エナメルリムーバー、ネイルポリッシュ等のメイクアップ化粧料；デオドラント等の制汗剤；サンスクリーン剤、日焼け用薬剤（サンタン剤）等の紫外線防御剤等が挙げられる。
【０１１５】
前記毛髪用化粧料としては、シャンプー、リンスインシャプー等の毛髪用洗浄剤；ヘアオイル、髪用カール保持剤、セット剤、ヘアクリーム、へアスプレー、ヘアリキッド、ヘアワックス等の整髪料；染毛料、ヘアカラースプレー、ヘアカラーリンス、ヘアカラースティック等の毛髪用着色料；ヘアトニック、ヘアトリートメント、ヘアパック等の養毛料；コンディショナー、オイルリンス、クリームリンス、トリートメントリンス等のヘアリンス、マスカラ等の睫毛化粧料等が挙げられる。
【０１１６】
また、前記の浴用化粧料としては、バスオイル、バスソルト、フォームバスが挙げられる。
【０１１７】
上記の化粧料を収納する容器は、特に限定されるものではなく、ジャー、ポンプ、チューブ、ボトル、圧力缶吐出容器、耐圧エアゾール容器、遮光容器、コンパクト容器、金皿、スティック容器、繰り出し容器、噴霧容器、混合液吐出口を備えた仕切り付き容器等が挙げられる。水中油型エマルジョン型の化粧料である場合は、ジャー、ポンプ、ボトル、噴霧容器等が挙げられる。本発明に係るアミノ酸変性オルガノポリシロキサンエマルジョンを用いて製造された水中油型エマルジョン化粧料はその経時安定性に優れるため、透明容器に充填されても安定に保管することができ、外観に優れた製品として店頭販売することが可能である。
【実施例】
【０１１８】
本発明を実施例により詳細に説明するが、本発明は実施例に限定されるものではない。
【０１１９】
［実施例１］
重合度6.5の両末端SiH基封鎖ポリジメチルシロキサン80グラム（130.1ミリモル）に、白金と1,3-ジビニルテトラメチルジシロキサンとの錯体触媒を、白金金属量が反応混合物全体の10ppmになるようにして添加し、窒素雰囲気下で90℃に加熱した後ジアリルアミン13.9グラム（143.1ミリモル、Vi（ビニル基）/SiH（ケイ素原子結合水素原子）比：1.1）をゆっくり滴下しつつ90〜140℃で３時間加熱した。反応混合物のIR分析でSiH基の特性吸収が消失したことを確認した後、低沸点物を加熱減圧留去して淡黄色透明液体90.1グラム（収率96％）を得た。図１に示す29SiNMRの分析結果から、α付加とβ付加の比が約30:70である下記構造
【化８】
2012136587.tif 000009
の繰り返し単位を有すポリシロキサン−プロピレンアミノプロピレンマルチブロックコポリマーが得られたことが判明した。また、末端のアリルアミノ基はほとんど転移してエチルイミノ基になっていた。図２及び図３に、それぞれ、実施例１で得られたポリシロキサン−プロピレンアミノプロピレンマルチブロックコポリマーの29SiNMR及びIR吸収の分析結果を示す。
【０１２０】
また、生成物中のアミノ基をジエチルピロカーボネートでアミド化した後GPC（ゲルパーミエーション・クロマトグラフィー）により分子量を測定したところ、Mn（数平均分子量）は6.3×103、分散度（Mw（重量平均分子量）/Mn）は1.57であった。アミノ含有率は2.28%であった。
【０１２１】
［実施例２〜実施例６］
重合度の異なる両末端SiH基封鎖ポリシロキサンを使用し、Vi/SiHを変更した以外は実施例１と同様にしてポリシロキサン−プロピレンアミノプロピレンマルチブロックコポリマーを得た。得られたポリシロキサン−プロピレンアミノプロピレンマルチブロックコポリマーを実施例１と同様に分析した。結果を表１に示す。
【表１】
2012136587.tif 000010
【０１２２】
［評価１］
実施例４で得られたシリコーン部分の繰り返し重合度が43のポリシロキサン−プロピレンアミノプロピレンマルチブロックコポリマー0.04グラム、酢酸0.04グラム、デカメチルシクロペンタシロキサン20グラム及び水20グラムをホモディスパーを用いて3000回転で10分間撹拌した。得られたエマルジョンの７時間後の分離率は１％であった。
【０１２３】
これに対し、下記櫛型アミノ官能性ポリシロキサン
【化９】
2012136587.tif 000011
から得られたエマルジョンの分離率は４％、下記両末端アミノ官能性ポリシロキサン
【化１０】
2012136587.tif 000012
から得られたエマルジョンの分離率は１１％であった。
【０１２４】
［評価２］
実施例３若しくは実施例５のポリシロキサン−プロピレンアミノプロピレンマルチブロックコポリマー、又は、下記構造
【化１１】
2012136587.tif 000013
の櫛型アミノ変性ポリシロキサン各2グラム、当該コポリマーのアミノ基と当モル量の酢酸、粘度6cSの両末端トリメチルシリル基封鎖ジメチルポリシロキサン18グラムを混合し、塩化ナトリウム：グリセリン：水＝1:5:74（重量比）から成る水相混合物を5グラムずつ添加し、デンタルミキサーで36秒間混合することを繰り返し、乳化物から水相が分離するまで添加できる水相の量を求めた。結果を表２に示す。
【表２】
2012136587.tif 000014
実施例のコポリマーは櫛型アミノ変性ポリシロキサンより、多量の水相を含むことができた。
【０１２５】
［評価３］
実施例６のシリコーン部分の重合度が107のポリシロキサン−プロピレンアミノプロピレンマルチブロックコポリマー（アミノ含有量：0.24%）および下記構造
【化１２】
2012136587.tif 000015
の櫛型アミノ官能性ポリシロキサン（アミノ含有量：0.26%）をトルエンで希釈して1wt%濃度の処理液を調製し、この中に24cm×33cmの綿ニット  白布を30秒間浸漬した。次いでマングルローラーで絞り率100%に調整して上記布を絞り、室温で乾燥した。さらにこれを熱風循環式乾燥機中で、130℃で5分間熱処理した後、室温にて放冷した。ブランクとしてトルエンのみで同様の処理を行なった。得られた布を用い、COLOR GUIDE portable 色差計（BYK-Gardner社製）にて、ＪＩＳ  Ｚ  ８７２２に準拠してＹＩ値を測定し、ブランク布との色差ΔYIを決定することにより、黄変の程度を評価した。また手による感触で風合いを（ブランクと比較）評価した。総合判定では、風合いが改善され、且つ、黄変がない場合は○、風合いのみ改善の場合は△、風合いの改善がない場合はＸとした。これらの結果を表３に示す。
【表３】
2012136587.tif 000016
【０１２６】
実施例のコポリマーにより処理した繊維は風合いが良好で、熱処理による黄変色が小さい。したがって、前記ポリマーは繊維処理剤として好適である。
【図１】
2012136587.tif 000021
【図２】
2012136587.tif 000022
【図３】
2012136587.tif 000023
【手続補正書】
【提出日】平成23年12月21日(2011.12.21)
【手続補正１】
【補正対象書類名】明細書
【補正対象項目名】００５３
【補正方法】変更
【補正の内容】
【００５３】
本発明の表面処理剤が適用できる繊維素材としては、材質的には天然繊維（例えば木綿、麻、羊毛、絹、木材パルプ、皮革等）、再生繊維（例えばレーヨン、アセテート、キュプラ、スフ等）、有機合成繊維（例えばポリエステル、ポリアミド、ビニロン、ポリアクリロニトリル、ポリエチレン、ポリプロピレン、ポリエステルエーテル、ポリ塩化ビニリデン、ポリ塩化ビニル、スパンデックス等）、無機合成繊維（例えばガラス繊維、炭素繊維、シリコンカーバイド繊維等）等が挙げられる。また、形状的にはステーブル、フィラメント、トウ、糸、織物、編物、不織布、樹脂加工布帛、紙、合成皮革等が挙げられる。 
【手続補正２】
【補正対象書類名】明細書
【補正対象項目名】００５７
【補正方法】変更
【補正の内容】
【００５７】
更に、これらの粉体は、その一部又は全部が撥水化処理、親水化処理等の表面処理を施されていることが特に好ましい。なお、これらの粉体同士を複合化してもよい。また、一般油剤、前記マルチブロックコポリマー以外のシリコーン化合物、フッ素化合物、界面活性剤、増粘剤等で表面処理が施されたものも使用することができ、必要に応じて１種又は２種以上を用いることができる。
【手続補正３】
【補正対象書類名】明細書
【補正対象項目名】００５９
【補正方法】変更
【補正の内容】
【００５９】
粉体としてシリコーンエラストマー粉体を使用することもできる。シリコーンエラストマー粉体は、主としてジオルガノシロキシ単位（Ｄ単位）からなる直鎖状ジオルガノポリシロキサンの架橋物であり、側鎖若しくは末端に珪素結合水素原子を有するオルガノハイドロジェンポリシロキサンと側鎖若しくは末端にアルケニル基等の不飽和炭化水素基を有するジオルガノポリシロキサンを、ヒドロシリル化反応触媒下で架橋反応させることによって好適に得ることができる。シリコーンエラストマー粉体は、Ｔ単位及びＱ単位からなるシリコーン樹脂粉体に比して、柔らかく、弾力があり、また、吸油性に優れるため、肌上の油脂を吸収し、化粧崩れを防ぐことができる。そして、前記マルチブロックコポリマーにより表面処理を行うと、シリコーンエラストマー粉体のスエード調の感触を減じることなく、しっとりした感触を付与することができる。更に、シリコーンエラストマー粉体と共に前記マルチブロックコポリマーを化粧料に配合する場合は、化粧料全体における当該粉体の分散安定性が改善され、経時的に安定な化粧料を得ることができる。
【手続補正４】
【補正対象書類名】明細書
【補正対象項目名】００９４
【補正方法】変更
【補正の内容】
【００９４】
非イオン性水溶性高分子としては、例えば、ポリビニルピロリドン、高重合ポリエチレングリコール、ビニルピロリドン／酢酸ビニル共重合体、ビニルピロリドン／ジメチルアミノエチルメタクリレート共重合体、ビニルカプロラクタム／ビニルピロリドン／ジメチルアミノエチルメタクリレート共重合体、セルロース又はその誘導体（例えば、メチルセルロース、エチルセルロース、ヒドロキシエチルセルロース、ヒドロキシプロピルセルロース、カルボキシメチルセルロース）、ケラチン及びコラーゲン又はその誘導体、アルギン酸カルシウム、プルラン、寒天、ゼラチン、タマリンド種子多糖類、キサンタンガム、カラギーナン、ハイメトキシルペクチン、ローメトキシルペクチン、グァーガム、ペクチン、アラビアゴム、結晶セルロース、アラビノガラクタン、カラヤガム、トラガカントガム、アルギン酸、アルブミン、カゼイン、カードラン、ジュランガム、デキストラン、クインスシードガム、キチン・キトサン誘導体、デンプン（コメ、トウモロコシ、バレイショ、コムギ等）等の天然の高分子化合物が挙げられる。これら２種類以上を併用してもよい。
【手続補正５】
【補正対象書類名】明細書
【補正対象項目名】００９８
【補正方法】変更
【補正の内容】
【００９８】
防腐剤としては、パラオキシ安息香酸アルキルエステル、安息香酸、安息香酸ナトリウム、ソルビン酸、ソルビン酸カリウム、フェノキシエタノールが挙げられる。これら２種類以上を併用してもよい。化粧料における防腐剤の配合量は、化粧料の全質量の０．１〜５質量％が好ましい。
【手続補正６】
【補正対象書類名】明細書
【補正対象項目名】００９９
【補正方法】変更
【補正の内容】
【００９９】
抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、トリクロサン、感光素、フェノキシエタノール、メチルイソチアゾリノン等が挙げられる。これら２種類以上を併用してもよい。化粧料における抗菌剤の配合量は化粧料の全質量の０．１〜５質量％が好ましい。